(57)【要約】【課題】インターロックスイッチの押し込み不良が生じた状態で本体側コネクタとドア側コネクタとが嵌合してしまったり、本体側コネクタとドア側コネクタとが充分に嵌合していない状態でインターロックスイッチが押し込まれてしまったりする不具合が生じにくい、ドア開閉機構、及び、画像形成装置、を提供する。【解決手段】ドア３０の閉鎖動作に連動して、突出部３１ａがレバー部材５５に係合してレバー部材５５が第１本体側保持部材５３をドア３０の側に押動して本体側コネクタ５２がドア側コネクタ３２に嵌合した後に、突出部３１ａによるレバー部材５５の係合が解除されて、第２本体側保持部材５４の開閉方向の位置を変位させずに第１本体側保持部材５３が第１引張スプリング５７によって装置本体５０の側に付勢されて位置が定められた状態で、突出部３１ａがインターロックスイッチ５１のスイッチ部５１ａを押動する。【選択図】図５
2016001272.tif 000002
【特許請求の範囲】
【請求項１】
電子部品が設置されたドアが装置本体に対して開閉されるドア開閉機構であって、
前記ドアは、
前記装置本体に対向するように設置されるとともに、前記電子部品に電気的に接続されたドア側コネクタと、
前記装置本体に向けて突出するように設置された突出部と、
を具備し、
前記装置本体は、
インターロックスイッチを保持するとともに、少なくとも前記ドアの開閉方向に沿って移動可能に当該装置本体に保持された第１本体側保持部材と、
前記第１本体側保持部材を当該装置本体の側に付勢する付勢部材と、
前記ドア側コネクタに嵌合して電気的に接続される本体側コネクタと、
前記本体側コネクタを保持するとともに、前記ドアの開閉方向に沿って移動可能に前記第１本体側保持部材に保持された第２本体側保持部材と、
当該装置本体に前記第１本体側保持部材とは別に保持された押動部材と、
を具備し、
前記ドアの閉鎖動作に連動して、前記突出部が前記押動部材に係合して前記押動部材が前記第１本体側保持部材を前記ドアの側に押動して前記本体側コネクタが前記ドア側コネクタに嵌合した後に、前記突出部による前記押動部材の係合が解除されて、前記第２本体側保持部材の開閉方向の位置を変位させずに前記第１本体側保持部材が前記付勢部材によって前記装置本体の側に付勢されて位置が定められた状態で、前記突出部がインターロックスイッチのスイッチ部を押動することを特徴とするドア開閉機構。
【請求項２】
前記ドアの開放動作に連動して、前記突出部がインターロックスイッチのスイッチ部の押動を解除して、前記第２本体側保持部材の開閉方向の位置を変位させずに前記第１本体側保持部材が前記付勢部材の付勢力に抗するように前記ドアの側に移動した後に、開閉方向の移動が制限された状態の前記本体側コネクタに対する前記ドア側コネクタの嵌合が解除されることを特徴とする請求項１に記載のドア開閉機構。
【請求項３】
前記押動部材は、前記装置本体に回動可能に保持されたレバー部材であって、第２付勢部材によって前記第１本体側保持部材を押動しない方向に付勢され、
前記突出部は、前記ドアの閉鎖動作に連動して前記レバー部材に当接して当該レバー部材を回動させた後に当該レバー部材との当接を解除する当接部と、前記ドアの開放動作に連動して前記レバー部材を回動させることなく当該レバー部材に当接した後に当該レバー部材との当接を解除する傾斜部と、を具備したことを特徴とする請求項１又は請求項２に記載のドア開閉機構。
【請求項４】
前記ドアは、前記ドア側コネクタを保持するとともに、前記突出部が形成されたドア側保持部材を具備し、
前記ドア側保持部材は、前記ドアの閉鎖動作に連動して前記本体側コネクタが前記ドア側コネクタに嵌合する前に、前記第１本体側保持部材に形成された位置決め用穴部又は位置決め用ピンに嵌合する位置決め用ピン又は位置決め用穴部を具備したことを特徴とする請求項１〜請求項３のいずれかに記載のドア開閉機構。
【請求項５】
前記装置本体に対する前記ドアの開閉方向の位置を所定の調整範囲内で調整できるように構成され、
前記位置決め用ピンは、その先端部が尖頭状に形成され、その尖頭状の先端部の開閉方向の長さが前記調整範囲の長さよりも大きくなるように形成されたことを特徴とする請求項４に記載のドア開閉機構。
【請求項６】
前記第１本体側保持部材は、第１規制部材によって前記装置本体に対して少なくとも前記開閉方向に移動可能な範囲が規制され、
前記第２本体側保持部材は、第２規制部材によって前記第１本体側保持部材に対して前記開閉方向に移動可能な範囲が規制されたことを特徴とする請求項１〜請求項５のいずれかに記載のドア開閉機構。
【請求項７】
前記インターロックスイッチと前記本体側コネクタと前記ドア側コネクタとは、前記ドアの開閉動作がおこなわれる開閉中心から離れた前記ドアの端部に相当する位置に配設されたことを特徴とする請求項１〜請求項６のいずれかに記載のドア開閉機構。
【請求項８】
請求項１〜請求項７のいずれかに記載のドア開閉機構が前記装置本体としての画像形成装置本体に設置されたことを特徴とする画像形成装置。
【発明の詳細な説明】
【技術分野】
【０００１】
この発明は、電子部品が設置されたドアが装置本体に対して開閉されるドア開閉機構と、それを備えた複写機、プリンタ、ファクシミリ、又は、それらの複合機等の画像形成装置と、に関するものである。
【背景技術】
【０００２】
従来から、複写機、プリンタ等の画像形成装置において、電子部品が設置されたドアが画像形成装置本体に対して開閉されるものが知られている（例えば、特許文献１参照。）。
詳しくは、特許文献１において、画像形成装置本体に対して開閉可能に設置されたドアには、電子部品やドア側コネクタが設置されている。ドア側コネクタは、ドアが閉鎖された状態で画像形成装置本体に設置された本体側コネクタに嵌合して、電気的に接続された状態の本体側コネクタ及びドア側コネクタ（ドロアコネクタ）を介して装置本体側からドアの電子部品に向けて電力が供給されることになる。こうして、ドアに設置された電子部品が動作することになる。また、ドアが開放されると、本体側コネクタとドア側コネクタとの嵌合が解除されるのにともない、装置本体側からドアの電子部品に向けての通電も遮断されることになる。
【０００３】
一方、特許文献１には、ドアが開放された状態で装置本体側からドアの電子部品に向けての通電を確実に遮断することを目的として、ドア検知部がドアの開放状態を検知したときに、ドアの電子部品への電力の供給を遮断する技術が開示されている。
他方、特許文献２には、画像形成装置本体に対するドアの開閉状態を検知するインターロックスイッチを装置本体に設置する技術が開示されている。
【発明の概要】
【発明が解決しようとする課題】
【０００４】
従来の画像形成装置は、装置本体に対して開閉可能に設置されたドアに、電子部品やドア側コネクタを設置して、装置本体に、ドアの閉鎖にともないドア側コネクタに嵌合して電子部品に電力を供給するための本体側コネクタや、ドアの開閉状態を検知してその開閉状態に合わせて電力供給をオン・オフするためのインターロックスイッチを設置したときに、インターロックスイッチの押し込み不良が生じた状態で本体側コネクタとドア側コネクタとが嵌合してしまったり、本体側コネクタとドア側コネクタとが充分に嵌合していない状態でインターロックスイッチが押し込まれてしまったりする不具合が生じてしまっていた。そして、そのような不具合が生じてしまうと、ドアが閉鎖された状態であるにも関わらずドアの電子部品に装置本体側から電力が供給されなかったり、接触が不充分な状態のコネクタに電力が供給されてスパークが生じてしまったりしてしまう可能性があった。
【０００５】
この発明は、上述のような課題を解決するためになされたもので、電子部品が設置されたドアにドア側コネクタを設置して、ドア側コネクタに嵌合する本体側コネクタや、ドアの開閉状態を検知するインターロックスイッチを装置本体に設置しても、インターロックスイッチの押し込み不良が生じた状態で本体側コネクタとドア側コネクタとが嵌合してしまったり、本体側コネクタとドア側コネクタとが充分に嵌合していない状態でインターロックスイッチが押し込まれてしまったりする不具合が生じにくい、ドア開閉機構、及び、画像形成装置、を提供することにある。
【課題を解決するための手段】
【０００６】
この発明の請求項１記載の発明にかかるドア開閉機構は、電子部品が設置されたドアが装置本体に対して開閉されるドア開閉機構であって、前記ドアは、前記装置本体に対向するように設置されるとともに、前記電子部品に電気的に接続されたドア側コネクタと、前記装置本体に向けて突出するように設置された突出部と、を具備し、前記装置本体は、インターロックスイッチを保持するとともに、少なくとも前記ドアの開閉方向に沿って移動可能に当該装置本体に保持された第１本体側保持部材と、前記第１本体側保持部材を当該装置本体の側に付勢する付勢部材と、前記ドア側コネクタに嵌合して電気的に接続される本体側コネクタと、前記本体側コネクタを保持するとともに、前記ドアの開閉方向に沿って移動可能に前記第１本体側保持部材に保持された第２本体側保持部材と、当該装置本体に前記第１本体側保持部材とは別に保持された押動部材と、を具備し、前記ドアの閉鎖動作に連動して、前記突出部が前記押動部材に係合して前記押動部材が前記第１本体側保持部材を前記ドアの側に押動して前記本体側コネクタが前記ドア側コネクタに嵌合した後に、前記突出部による前記押動部材の係合が解除されて、前記第２本体側保持部材の開閉方向の位置を変位させずに前記第１本体側保持部材が前記付勢部材によって前記装置本体の側に付勢されて位置が定められた状態で、前記突出部がインターロックスイッチのスイッチ部を押動するものである。
【発明の効果】
【０００７】
本発明によれば、電子部品が設置されたドアにドア側コネクタを設置して、ドア側コネクタに嵌合する本体側コネクタや、ドアの開閉状態を検知するインターロックスイッチを装置本体に設置しても、インターロックスイッチの押し込み不良が生じた状態で本体側コネクタとドア側コネクタとが嵌合してしまったり、本体側コネクタとドア側コネクタとが充分に嵌合していない状態でインターロックスイッチが押し込まれてしまったりする不具合が生じにくい、ドア開閉機構、及び、画像形成装置、を提供することができる。
【図面の簡単な説明】
【０００８】
【図１】この発明の実施の形態における画像形成装置を示す全体構成図である。
【図２】（Ａ）画像形成装置本体に対してドアが閉鎖された状態を示す斜視図と、（Ｂ）画像形成装置本体に対してドアが開放された状態を示す斜視図と、である。
【図３】インターロックスイッチや本体側コネクタが設置された第１本体側保持部材の近傍を示す斜視図である。
【図４】（Ａ）ドア側コネクタが設置されたドア側保持部材の近傍を示す斜視図と、（Ｂ）位置決め用ピンの近傍を示す側面図と、である。
【図５】画像形成装置本体に対してドアが閉鎖されるときの、ドア開閉機構の動作を示す概略上面図である。
【発明を実施するための形態】
【０００９】
実施の形態．
以下、この発明を実施するための形態について、図面を参照して詳細に説明する。なお、各図中、同一又は相当する部分には同一の符号を付しており、その重複説明は適宜に簡略化ないし省略する。
【００１０】
まず、画像形成装置全体の構成・動作について説明する。
図１において、１は画像形成装置としてのカラー複写機、３は原稿を原稿読込部４に搬送する原稿搬送部、４は原稿の画像情報を読み込む原稿読込部、６は入力画像情報に基づいたレーザ光を発する書込み部（露光部）、７は転写紙等の記録媒体Ｐが収納される給紙部（給紙カセット）、１０Ｙ、１０Ｍ、１０Ｃ、１０ＢＫは各色（イエロー、マゼンタ、シアン、ブラック）に対応した作像部、１７は複数色のトナー像が重ねて転写される中間転写ベルト、１８は中間転写ベルト１７上に形成されたトナー像を記録媒体Ｐに転写する２次転写ローラ、２０は記録媒体Ｐ上の未定着画像を定着する定着部、２８は各作像部１０Ｙ、１０Ｍ、１０Ｃ、１０ＢＫの現像部に各色のトナーを補給するためのトナー容器、を示す。
【００１１】
図１に示すように、４つの作像部１０Ｙ、１０Ｍ、１０Ｃ、１０ＢＫは、中間転写ベルト１７に対向するように並設されている。また、中間転写ベルト１７は、不図示の駆動部によって、所定方向（図１の矢印方向であって、反時計方向である。）に走行するように構成されている。
【００１２】
以下、画像形成装置１における、通常のカラー画像形成時の動作について説明する。
まず、原稿は、原稿搬送部３の搬送ローラによって、原稿台から搬送されて、原稿読込部４のコンタクトガラス上に載置される。そして、原稿読込部４で、コンタクトガラス上に載置された原稿の画像情報が光学的に読み取られる。
詳しくは、原稿読込部４は、コンタクトガラス上の原稿の画像に対して、照明ランプから発した光を照射しながら走査させる。そして、原稿にて反射した光を、ミラー群及びレンズを介して、カラーセンサに結像する。原稿のカラー画像情報は、カラーセンサにてＲＧＢ（レッド、グリーン、ブルー）の色分解光ごとに読み取られた後に、電気的な画像信号に変換される。さらに、ＲＧＢの色分解画像信号をもとにして画像処理部（不図示である。）で色変換処理、色補正処理、空間周波数補正処理等の処理をおこない、イエロー、マゼンタ、シアン、ブラックのカラー画像情報を得る。
【００１３】
そして、イエロー、マゼンタ、シアン、ブラックの各色の画像情報は、書込み部６に送信される。そして、書込み部６からは、各色の画像情報に基づいたレーザ光（露光光）が、それぞれ、対応する作像部１０Ｙ、１０Ｍ、１０Ｃ、１０ＢＫの感光体ドラム１１上に向けて照射される。
【００１４】
一方、各作像部１０Ｙ、１０Ｍ、１０Ｃ、１０Ｂの感光体ドラム１１は、それぞれ、図１の時計方向に回転している。そして、まず、感光体ドラム１１の表面は、帯電ローラとの対向位置で、一様に帯電される（帯電工程である。）。こうして、感光体ドラム１１上には、帯電電位が形成される。その後、帯電された感光体ドラム１１表面は、それぞれのレーザ光の照射位置に達する。
書込み部６において、光源から画像信号に対応したレーザ光が各色に対応して射出される。図示は省略するが、レーザ光は、ポリゴンミラーに入射して反射した後に、複数のレンズを透過する。複数のレンズを透過した後のレーザ光は、イエロー、マゼンタ、シアン、ブラックの色成分ごとに別の光路を通過することになる（露光工程である。）。
【００１５】
イエロー成分に対応したレーザ光は、紙面左側から１番目の作像部１０Ｙの感光体ドラム１１表面に照射される。このとき、イエロー成分のレーザ光は、高速回転するポリゴンミラー（不図示である。）により、感光体ドラム１１の回転軸方向（主走査方向）に走査される。こうして、帯電ローラにて帯電された後の感光体ドラム１１上には、イエロー成分に対応した静電潜像が形成される。
【００１６】
同様に、マゼンタ成分のレーザ光は、紙面左から２番目の作像部１０Ｍの感光体ドラム１１表面に照射されて、マゼンタ成分の静電潜像が形成される。シアンタ成分に対応したレーザ光は、紙面左から３番目の作像部１０Ｃの感光体ドラム１１表面に照射されて、シアン成分に対応した静電潜像が形成される。ブラック成分のレーザ光は、紙面左から４番目の作像部１０ＢＫの感光体ドラム１１表面に照射されて、ブラック成分の静電潜像が形成される。
【００１７】
その後、各色の静電潜像が形成された感光体ドラム１１表面は、それぞれ、現像部との対向位置に達する。そして、各現像部から感光体ドラム１１上に各色のトナーが供給されて、感光体ドラム１１上の潜像が現像される（現像工程である。）。
その後、現像工程後の感光体ドラム１１表面は、それぞれ、中間転写ベルト１７との対向位置に達する。ここで、それぞれの対向位置には、中間転写ベルト１７の内周面に当接するように1次転写ローラ１４が設置されている。そして、１次転写ローラ１４の位置で、中間転写ベルト１７上に、感光体ドラム１１上に形成された各色のトナー像が、順次重ねて転写される（第１転写工程である。）。
【００１８】
そして、第１転写工程後の感光体ドラム１１表面は、それぞれ、クリーニング部との対向位置に達する。そして、クリーニング部で、感光体ドラム１１上に残存する未転写トナーが回収される（クリーニング工程である。）。
その後、感光体ドラム１１表面は、除電部の位置を通過して、感光体ドラム１１における一連の作像プロセスが終了する。
【００１９】
他方、感光体ドラム１１上の各色の画像が重ねて転写された中間転写ベルト１７表面は、図中の矢印方向に走行して、２次転写ローラ１８の位置に達する。そして、２次転写ローラ１８の位置で、記録媒体Ｐ上に中間転写ベルト１７上のフルカラーの画像が２次転写される（第２転写工程である。）。
その後、中間転写ベルト１７表面は、中間転写ベルトクリーニング部（不図示である。）の位置に達する。そして、中間転写ベルト１７上の未転写トナーが中間転写ベルトクリーニング部に回収されて、中間転写ベルト１７上の一連の転写プロセスが完了する。
【００２０】
ここで、２次転写ローラ１８位置の記録媒体Ｐは、給紙部７から搬送ガイド、レジストローラ１９等を経由して搬送されたものである。
詳しくは、記録媒体Ｐを収納する給紙部７から、給紙ローラ８により給送された記録媒体Ｐが、搬送ガイドを通過した後に、レジストローラ１９（タイミングローラ）に導かれる。レジストローラ１９に達した記録媒体Ｐは、中間転写ベルト１７上のトナー像とタイミングを合わせて、２次転写ローラ１８の位置に向けて搬送される。
【００２１】
その後、フルカラー画像が転写された記録媒体Ｐは、定着部２０に導かれる。定着部２０では、定着ローラと加圧ローラとのニップにて、カラー画像が記録媒体Ｐ上に定着される。
そして、定着工程後の記録媒体Ｐは、排紙ローラ２９によって装置外に出力画像として排出された後に、排紙部５上にスタックされて、一連の画像形成プロセスが完了する。
【００２２】
ここで、本実施の形態における画像形成装置１には、ドア３０（開閉ドア）が画像形成装置本体５０（装置本体）に対して開閉可能に設置されている。
そして、図２（Ａ）に示すように、ドア３０が閉鎖された状態で、先に図１を用いて説明した画像形成プロセスがおこなわれることになる。そして、装置本体５０に設置された構成部材（例えば、トナー容器２８や作像部１０Ｙ、１０Ｍ、１０Ｃ、１０Ｂなどである。）の交換やメンテナンスをおこなう場合や、装置本体５０の搬送経路中で紙詰まり（ジャム）してしまった記録媒体Ｐを除去する場合などに、図２（Ｂ）に示すように、ユーザーによってドア３０が一点鎖線で示す開閉中心（回動軸）を中心に回動されるように操作されて（ドア３０が開放状態になって）、装置本体５０の内部が露呈されることになる。すなわち、本実施の形態における画像形成装置１には、ドア３０が装置本体としての画像形成装置本体５０に対して開閉されるドア開閉機構が設けられている。
【００２３】
以下、本実施の形態における画像形成装置１において、特徴的なドア開閉機構について詳述する。
本実施の形態における画像形成装置１に開閉可能に設置されたドア３０には、図２に示すように電子部品としてのＬＥＤユニット４０が設けられている。電子部品としてのＬＥＤユニット４０は、装置本体としての画像形成装置本体５０に設置された不図示の電源部（主電源）から、ドア３０が閉鎖された状態で嵌合状態にあるドロアコネクタ（本体側コネクタ５２及びドア側コネクタ３２）を介して給電されて駆動するものである。本実施の形態において、ＬＥＤユニット４０は、ドア３０の開閉状態を含めて、画像形成装置１が正常に動作する状態であるか、そうでない状態であるか、を目視で区別するための表示をおこなうものである。
なお、本実施の形態では、ドア３０に電子部品としてのＬＥＤユニット４０を設置したが、それ以外の電子部品をドア３０に設置することもできる。
【００２４】
また、図４、図５を参照して、ドア３０の裏側（装置本体５０の内部に対向する側である。）には、ドロアコネクタとして機能するドア側コネクタ３２や、突出部３１ａが形成されたドア側保持部材３１が設置されている。
ドア側コネクタ３２は、画像形成装置本体５０に対向するように設置されていて、ＬＥＤユニット４０（電子部品）にハーネスを介して電気的に接続されている。
突出部３１ａは、画像形成装置本体５０に向けて突出するように設置されている。突出部３１ａの突出方向（開閉方向）の先端の位置は、ドア側コネクタ３２の突出方向（開閉方向）の先端の位置よりも、画像形成装置本体５０に近い側になるように設定されている。
ドア側保持部材３１（ドア側保持板）は、曲げ加工によって突出部３１ａなどが形成された金属材料からなる板状部材であって、ドア側コネクタ３２が固定して保持され、ドア側コネクタ３２を挟むように２つの位置決め用ピン３３が装置本体５０の側に起立するように設置されている。位置決め用ピン３３の起立方向（開閉方向）の先端部３３ａの位置は、ドア側コネクタ３２の突出方向（開閉方向）の先端の位置よりも、画像形成装置本体５０に近い側になるように設定されている。このように構成されたドア側保持部材３１は、ネジ３４によって、ドア３０の裏側に固定して保持（ネジ締結）されている。
【００２５】
また、図３、図５を参照して、画像形成装置本体５０（ドア３０に覆われる本体側フレームである。）には、第１本体側保持部材５３、ドア開閉検知手段としてのインターロックスイッチ５１、第２本体側保持部材５４、本体側コネクタ５２、押動部材としてのレバー部材５５、付勢部材（第１付勢部材）としての第１引張スプリング５７、第２付勢部材としての第２引張スプリング５８、第１規制部材としての段付ネジ６１、第２規制部材としての段付ネジ６２、などが設けられている。
【００２６】
第１本体側保持部材５３は、曲げ加工が施された金属材料からなる板状部材であって、少なくともドア３０の開閉方向（図５の上下方向である。）に沿って移動可能に画像形成装置本体５０に保持されている。
詳しくは、図３を参照して、第１本体側保持部材５３は、２つの穴部にそれぞれ段付ネジ６１が挿入されて、それらの段付ネジ６１が装置本体５０の雌ネジ部に螺合されることで、段付ネジ６１の段部の範囲内で開閉方向にスライド移動できることになる。すなわち、第１本体側保持部材５３は、第１規制部材としての段付ネジ６１によって装置本体５０に対して少なくとも開閉方向に移動可能な範囲が規制されることになる。
【００２７】
特に、本実施の形態では、上述した第１本体側保持部材５３の穴部とそこに挿入される段付ネジ６１の段部とには充分な隙間が形成されていて、第１本体側保持部材５３は、開閉方向のスライド移動に加えて、開閉方向に直交する面方向（上下左右方向）にも移動可能できるように構成されている。すなわち、第１本体側保持部材５３は、第１規制部材としての段付ネジ６１によって、装置本体５０に対して、開閉方向に移動可能な範囲に加えて、面方向に移動可能な範囲も規制されることになる。
これにより、後述する第１本体側保持部材５３に形成された位置決め用穴部５３ａ、５３ｂと、ドア側保持部材３１に設置された位置決め用ピン３３と、の嵌合がスムーズにおこなわれて、位置決め用ピン３３に追従するように第１本体側保持部材５３の位置合わせをおこなうことができる。
【００２８】
また、第１本体側保持部材５３には、装置本体５０（本体側フレーム）に比較的近い位置にインターロックスイッチ５１が保持され、装置本体５０（本体側フレーム）から比較的遠い位置に第２本体側保持部材５４を介して本体側コネクタ５２が保持されている。
また、第１本体側保持部材５３は、付勢部材（第１付勢部材）としての第１引張スプリング５７によって、装置本体５０の側に付勢されている。詳しくは、第１引張スプリング５７は、一端側のフックが装置本体５０（本体側フレーム）に接続されていて、他端側のフックが第１本体側保持部材５３に接続されている。
また、第１本体側保持部材５３には、ドア側保持部材３１に設置された一方の位置決め用ピン３３に嵌合して主基準穴部として機能する位置決め用穴部５３ａと、ドア側保持部材３１に設置された他方の位置決め用ピン３３に嵌合して従基準穴部として機能する長穴形状の位置決め用穴部５３ｂと、が本体側コネクタ５２を保持した第２本体側保持部材５４を挟むように形成されている。
【００２９】
本体側コネクタ５２は、ドア３０が閉鎖された状態でドア側コネクタ３２に嵌合して電気的に接続されるものであって、装置本体５０に設置された不図示の電源部（主電源）にハーネスを介して電気的に接続されている。これにより、図２（Ａ）に示すように装置本体５０に対してドア３０が閉鎖されると、電源部（主電源）から本体側コネクタ５２及びドア側コネクタ３２を介してＬＥＤユニット４０に電力が供給されることになる。この本体側コネクタ５２は、第２本体側保持部材５４に固定して保持されている。
【００３０】
第２本体側保持部材５４は、金属材料からなる板状部材であって、ドア３０の開閉方向（図５の上下方向である。）に沿って移動可能に第１本体側保持部材５３に保持されている。詳しくは、図３を参照して、第２本体側保持部材５４は、２つの穴部にそれぞれ段付ネジ６２が挿入されて、それらの段付ネジ６２が第１本体側保持部材５３の雌ネジ部に螺合されることで、段付ネジ６２の段部の範囲内で開閉方向にスライド移動できることになる。すなわち、第２本体側保持部材５４は、第２規制部材としての段付ネジ６２によって第１本体側保持部材５３に対して開閉方向に移動可能な範囲が規制されることになる。
【００３１】
押動部材としてのレバー部材５５は、装置本体５０（本体側フレーム）に第１本体側保持部材５３とは別に保持されている。詳しくは、レバー部材５５（押動部材）は、支軸５５ａ（回転軸）を中心にして回動可能に装置本体５０（本体側フレーム）に保持されている。そして、レバー部材５５は、後述するようにドア３０の閉鎖動作に連動して突出部３１ａに係合して、第１本体側保持部材５３を押動する押動部材として機能することになる。
ここで、レバー部材５５は、第２付勢部材としての第２引張スプリング５８によって第１本体側保持部材５３を押動しない方向に付勢されている。詳しくは、第２引張スプリング５８は、一端側のフックが装置本体５０（本体側フレーム）に接続されていて、他端側のフックがレバー部材５５の他端側（突出部３１ａに係合する一端側に対して、支軸５５ａを挟んで反対側の端部である。）に接続されている。
【００３２】
このように構成されたドア開閉機構において、ドア３０の閉鎖動作（図２（Ｂ）の状態から図２（Ａ）の状態への動作である。）は次のようにおこなわれることになる。
ドア３０の閉鎖動作に連動して、図５（Ａ）に示すように突出部３１ａがレバー部材５５（押動部材）に係合してレバー部材５５が第１本体側保持部材５３をドア３０の側に押動して本体側コネクタ５２がドア側コネクタ３２に嵌合した後に、図５（Ｂ）に示すように突出部３１ａによるレバー部材５５の係合が解除されて、第２本体側保持部材５４の開閉方向の位置を変位させずに第１本体側保持部材５３が第１引張スプリング５７（付勢部材）によって装置本体５０の側に付勢されて位置が定められた状態（本体側フレームに突き当たった状態である。）で、突出部３１ａがインターロックスイッチ５１のスイッチ部５１ａを押動（スイッチ・オン）する。
【００３３】
このようなドア開閉機構の構成・動作により、本体側コネクタ５２とドア側コネクタ３２との篏合が確実に完了した後に、インターロックスイッチ５１の押し込み（スイッチ・オン）がおこなわれることになるため、インターロックスイッチ５１の押し込み不良が生じた状態で本体側コネクタ５２とドア側コネクタ３２とが嵌合してしまったり、本体側コネクタ５２とドア側コネクタ３２とが充分に嵌合していない状態でインターロックスイッチ５１が押し込まれてしまったりする不具合を抑止することができる。そのため、ドア３０が閉鎖された状態であるにも関わらずドア３０のＬＥＤユニット４０（電子部品）に装置本体５０側から電力が供給されなかったり、接触が不充分な状態のコネクタ３２、５２に電力が供給されてスパークが生じてしまったりしてしまうような２次的な不具合も抑止されることになる。
【００３４】
また、このようなドア閉鎖時の動作において、ドア３０の閉鎖動作に連動して本体側コネクタ５２がドア側コネクタ３２に嵌合する前に、第１本体側保持部材５３に形成された位置決め用穴部５３ａ、５３ｂに、ドア側保持部材３１に設置された位置決め用ピン３３が嵌合することになる。
これにより、本体側コネクタ５２がドア側コネクタ３２に嵌合する直前に、第２本体側保持部材５４を介して本体側コネクタ５２を保持する第１本体側保持部材５３に対する、ドア側コネクタ３２を保持するドア側保持部材３１の面方向（開閉方向に直交する方向である。）の位置が精度よく定められることになるため、本体側コネクタ５２とドア側コネクタ３２との嵌合不良を防止することができる。
【００３５】
以下、図５を用いて、ドア３０を閉鎖するときのドア開閉機構の一連の動作について、まとめて説明する。
まず、図５（Ａ）を参照して、開放状態にあったドア３０が閉鎖方向（装置本体５０に近づく方向である。）に回動していくと、やがて突出部３１ａの当接部３１ａ１がレバー部材５５に接触する。そして、ドア３０がさらに閉鎖方向に進むことで、レバー部材５５が突出部３１ａに押し込まれて、レバー部材５５は第２引張スプリング５８のスプリング力に抗するように支軸５５ａを中心に図の時計方向に回動する。そして、回動したレバー部材５５に当接した第１本体側保持部材５３が、第１引張スプリング５７のスプリング力に抗するように、ドア３０側にスライド移動することになる。
ドア３０側に移動した第１本体側保持部材５３は、まず、位置決め用穴部５３ａ、５３ｂが、位置決め用ピン３３の尖頭状の先端部３３ａ（図４（Ｂ）を参照できる。）に案内されて、位置決め用穴部５３ａ、５３ｂと位置決め用ピン３３とが篏合する。これにより、第１本体側保持部材５３とドア側保持部材３１との開閉方向に直交する面方向の位置が定められることになる。
そして、ドア３０がさらに閉鎖方向に進むことで、突出部３１ａがレバー部材５５をさらに押し込むのにともない第１本体側保持部材５３もドア３０側に進んで、本体側コネクタ５２とドア側コネクタ３２とが篏合する。このとき、本実施の形態では、位置決め用ピン３３に段差部３３ｂ（図４（Ｂ）を参照できる。）を設けていて、この段差部３３ｂが位置決め用穴部５３ａ、５３ｂの縁に突き当たる。これにより、本体側コネクタ５２とドア側コネクタ３２とが必要以上に大きな力で篏合して破損が生じる不具合を未然に防止している。
【００３６】
その後、図５（Ｂ）を参照して、ドア３０がさらに閉鎖方向に進むと、突出部３１ａのレバー部材５５への当接が解除されて、レバー部材５５は第２引張スプリング５８のスプリング力によって支軸５５ａを中心に図の反時計方向に回動して、第１本体側保持部材５３の押動が解除される。これにより、第１本体側保持部材５３は、第１引張スプリング５７のスプリング力により装置本体５０側にスライド移動して、装置本体５０（本体側フレーム）に接触する位置で位置決めされる。
このとき、本体側コネクタ５２が保持された第２本体側保持部材５４は、第１本体側保持部材５３に対して開閉方向に相対的に移動可能に保持されているため、コネクタ３２、５２同士の嵌合力により、第１本体側保持部材５３とともに装置本体５０側に移動することなく、コネクタ３２、５２同士が篏合した位置に留まることになる。なお、このような動作がスムーズにおこなわれるために、コネクタ３２、５２同士の嵌合力を、第１引張スプリング５７の付勢力（スプリング力）よりも充分に大きく設定することが好ましい。
その後、ドア３０がさらに閉鎖方向に進むと、突出部３１ａによってインターロックスイッチ５１のスイッチ部５１ａの押動が開始される。そして、ドア３０が閉鎖動作が完了する位置に達すると、突出部３１ａによってインターロックスイッチ５１のスイッチ部５１ａが充分に押し込まれた状態になって、インターロックスイッチ５１がオン状態になる。そして、画像形成装置１が通電状態になって、ＬＥＤユニット４０への給電がおこなわれるとともに、先に図１を用いて説明した画像形成プロセス（画像形成動作）の実行が可能になる。
【００３７】
ここで、本実施の形態におけるドア開閉機構において、ドア３０の開放動作（図２（Ａ）の状態から図２（Ｂ）の状態への動作である。）は次のようにおこなわれることになる。
ドア３０の開放動作に連動して、突出部３１ａがインターロックスイッチ５１のスイッチ部５１ａの押動を解除して、第２本体側保持部材５４の開閉方向の位置を変位させずに第１本体側保持部材５３が第１引張スプリング５７（付勢部材）の付勢力に抗するようにドア３０の側に移動した後に、開閉方向の移動が制限された状態の本体側コネクタ５２に対するドア側コネクタ３２の嵌合が解除される。
すなわち、ドア３０の開放動作が開放されると、まず突出部３１ａがスイッチ部５１ａから離れて、ドア３０を開放方向に移動させる力によって、コネクタ３２、５２が篏合した状態で第１本体側保持部材５３がドア３０側に移動する。そして、その後に第１本体側保持部材５３がドア３０側に移動可能な限界位置に達すると、ドア３０を開放方向に移動させる力によって、本体側コネクタ５２とドア側コネクタ３２との篏合が解除されて、ドア３０とともにドア側コネクタ３２が開放方向にさらに移動していくことになる。
なお、このような動作がスムーズにおこなわれるために、コネクタ３２、５２同士の嵌合力を、ユーザーがドア３０を開放方向に移動させる力によって比較的容易に解除できる程度の大きさに設定することが好ましい。
【００３８】
このようなドア開閉機構の構成・動作により、インターロックスイッチ５１の押し込みが確実に解除（スイッチ・オフ）された後に、本体側コネクタ５２とドア側コネクタ３２との篏合が解除されることになるため、インターロックスイッチ５１の押し込み解除が充分にされていない状態で本体側コネクタ５２とドア側コネクタ３２との嵌合が解除されてしまって、コネクタ３２、５２にスパークが生じてしまう不具合を抑止することができる。
【００３９】
ここで、図５等を参照して、本実施の形態における突出部３１ａには、ドア３０の閉鎖動作に連動してレバー部材５５に当接してレバー部材５５を時計方向に回動させた後にレバー部材５５との当接を解除する当接部３１ａ１が形成されている。当接部３１ａ１は、開閉方向に対して直交する方向であってレバー部材５５に向かって突出するように延在する面部である。
また突出部３１ａには、ドア３０の開放動作に連動してレバー部材５５を時計方向に回動させることなくレバー部材５５に当接した後にレバー部材５５との当接を解除する傾斜部３１ａ２が形成されている。傾斜部３１ａ２は、開放方向に沿って当接部３１ａ１の先端からレバー部材５５から遠ざかる方向に傾斜するように形成された面部である。
このように突出部３１ａを形成することで、上述した突出部３１ａとレバー部材５５との係合による第１本体側保持部材５３の移動がスムーズにおこなわれることになる。
【００４０】
ここで、本実施の形態では、図４（Ｂ）を参照して、位置決め用ピン３３の先端部３３ａが尖頭状（テーパ状）に形成されている。これにより、先に説明した位置決め用ピン３３と位置決め用穴部３１ａ、３１ｂとのスムーズな篏合が可能になる。
この先端部３３ａの開閉方向の長さ（図４（Ｂ）において、段差部３３ｂから先端面までの左右方向の距離である。）は、ドア側保持部材３１（位置決め用ピン３３）によって第１本体側保持部材５３が開閉方向に案内される長さに相当する。そのため、装置本体５０に対するドア３０の開閉方向の位置を所定の調整範囲内で調整できるように構成されている場合には、尖頭状の先端部３３ａの開閉方向の長さがその調整範囲の長さよりも大きくなるように形成することが好ましいことになる。これにより、装置本体５０に対してドア３０が開閉方向の位置を調整して組み付けられた場合であっても、ドア３０の閉鎖時にドア側保持部材３１（位置決め用ピン３３）によって第１本体側保持部材５３が開閉方向に案内される範囲を確保することができることになる。
さらに、装置本体５０に対するドア３０の面方向（開閉方向に直交する方向である。）の位置をも所定の調整範囲内で調整できるように構成されている場合には、尖頭状の先端部３３ａのテーパ量（傾斜量）がその調整範囲の長さよりも大きくなるように形成することが好ましいことになる。これにより、装置本体５０に対してドア３０が面方向の位置を調整して組み付けられた場合であっても、ドア３０の閉鎖時にドア側保持部材３１（位置決め用ピン３３）によって第１本体側保持部材５３が面方向に案内される範囲を確保することができることになる。
【００４１】
また、本実施の形態では、図２（Ｂ）を参照して、インターロックスイッチ５１と本体側コネクタ５２とドア側コネクタ３２とは、ドア３０の開閉動作がおこなわれる開閉中心（図中、一点鎖線で示す位置である。）から離れたドア３０の端部に相当する位置（図中、破線で囲んだ位置である。）に配設されている。
これにより、インターロックスイッチ５１と本体側コネクタ５２とドア側コネクタ３２とをドア３０の開閉中心に近い位置に配設する場合に比べて、先に図５を用いて説明したドア開閉機構の動作に関わるドア３０側の部材と装置本体５０側の部材とが平行に近い状態で相対的に移動することになるため、本体側コネクタ５２とドア側コネクタ３２との篏合を含めたドア開閉機構の全体的な動作がスムーズにおこなわれることになる。
【００４２】
以上説明したように、本実施の形態によれば、ドア３０の閉鎖動作に連動して、突出部３１ａがレバー部材５５（押動部材）に係合してレバー部材５５が第１本体側保持部材５３をドア３０の側に押動して本体側コネクタ５２がドア側コネクタ３２に嵌合した後に、突出部３１ａによるレバー部材５５の係合が解除されて、第２本体側保持部材５４の開閉方向の位置を変位させずに第１本体側保持部材５３が第１引張スプリング５７（付勢部材）によって装置本体５０の側に付勢されて位置が定められた状態で、突出部３１ａがインターロックスイッチ５１のスイッチ部５１ａを押動する。これにより、ＬＥＤユニット４０（電子部品）が設置されたドア３０にドア側コネクタ３２を設置して、ドア側コネクタ３２に嵌合する本体側コネクタ５２や、ドアの開閉状態を検知するインターロックスイッチ５１を装置本体５０に設置しても、インターロックスイッチ５１の押し込み不良が生じた状態で本体側コネクタ５２とドア側コネクタ３２とが嵌合してしまったり、本体側コネクタ５２とドア側コネクタ３２とが充分に嵌合していない状態でインターロックスイッチ５１が押し込まれてしまったりする不具合を生じにくくすることができる。
【００４３】
なお、本実施の形態では、ドア側保持部材３１に位置決め用ピン３３を設けて、第１本体側保持部材５３に位置決め用穴部５３ａ、５３ｂを設けた。これに対して、ドア側保持部材３１に位置決め用穴部を設けて、第１本体側保持部材５３に位置決め用ピンを設けることもできる。
そして、その場合であっても、本実施の形態のものと同様の効果を得ることができる。
【００４４】
また、本実施の形態では、画像形成装置１に設置されるドア開閉機構に対して本発明を適用したが、その他のあらゆる装置に設置されるドア開閉機構に対しても当然に本発明を適用することができる。
そして、その場合であっても、本実施の形態のものと同様の効果を得ることができる。
【００４５】
なお、本発明が本実施の形態に限定されず、本発明の技術思想の範囲内において、本実施の形態の中で示唆した以外にも、本実施の形態は適宜変更され得ることは明らかである。また、前記構成部材の数、位置、形状等は本実施の形態に限定されず、本発明を実施する上で好適な数、位置、形状等にすることができる。
【符号の説明】
【００４６】
１  画像形成装置、
３０  ドア、
３１  ドア側保持部材（ドア側保持板）、
３１ａ  突出部、
３１ａ１  当接部、  ３１ａ２  傾斜部、
３２  ドア側コネクタ（ドロアコネクタ）、
３３  位置決め用ピン、
３３ａ  先端部（尖頭部）、  ３３ｂ  段差部、
３４  ネジ、
４０  ＬＥＤユニット（電子部品）、
５０  画像形成装置本体（装置本体）、
５１  インターロックスイッチ（ドア開閉検知手段）、
５１ａ  スイッチ部、
５２  本体側コネクタ（ドロアコネクタ）、
５３  第１本体側保持部材（第１本体側保持板）、
５３ａ  位置決め用穴部（主基準穴部）、
５３ｂ  位置決め用穴部（従基準穴部）、
５４  第２本体側保持部材（第２本体側保持板）、
５５  レバー部材（押動部材）、
５５ａ  支軸（回転軸）、
５７  第１引張スプリング（付勢部材、第１付勢部材）、
５８  第２引張スプリング（第２付勢部材）、
６１  段付ネジ（第１規制部材）、
６２  段付ネジ（第２規制部材）。
【先行技術文献】
【特許文献】
【００４７】
【特許文献１】特開２００２−２０２６９８号公報
【特許文献１】特開２００６−１６４９１８号公報
【図１】
2016001272.tif 000003
【図２】
2016001272.tif 000004
【図３】
2016001272.tif 000005
【図４】
2016001272.tif 000006
【図５】
2016001272.tif 000007